(57)【要約】【課題】映像コンテンツ等のデジタルコンテンツの配信経路に変更があった場合でも、ユーザにできるだけ不快感を与えないデジタル映像コンテンツ配信システムを提供する。【解決手段】ＤＴＶチューナが認証処理のためにデジタル映像コンテンツの送信を一時的に中断している間は、ナビゲーション装置が、直前に記憶したキャプチャ画像を、その後もＤＴＶチューナからの映像を表示するディスプレイに送信するよう構成する。このため、ディスプレイにおいて映像入力がなくなることによって黒画面が表示されるということを防止でき、引き続いてＤＴＶチューナからの映像を視聴するユーザは、そのデジタル映像コンテンツに意識がとどまる。したがって、ユーザは認証処理終了後に再開されるデジタル映像コンテンツの視聴をスムーズに続行することができる。【選択図】図３
2008211338.tif 000002
【特許請求の範囲】
【請求項１】
デジタル映像コンテンツを送信するソース機器と、
デジタル映像コンテンツを表示する複数のシンク機器と、
前記ソース機器からデジタル映像コンテンツを受信して前記複数のシンク機器へ送信するリピータ機器と、
を備えるデジタル映像コンテンツ配信システムにおいて、
前記ソース機器は、前記複数のシンク機器及び前記リピータ機器の正当性を認証する認証処理を行い、認証結果が正当であった場合にのみデジタル映像コンテンツを、前記リピータ機器を介して前記複数のシンク機器へ送信し、送信対象の前記シンク機器及び前記リピータ機器の構成に変更があったことを検知すると、デジタル映像コンテンツの送信を中断して変更後の各機器に対して前記認証処理を行い、変更後の各機器の正当性を認証すると、デジタル映像コンテンツの送信を再開させるよう構成されており、
前記リピータ機器は、前記ソース機器が変更後の各機器に対して前記認証処理を行っている間、変更後もデジタル映像コンテンツの送信対象である前記シンク機器に対し、予め記憶しておいた所定のデジタル映像コンテンツを送信すること、
を特徴とするデジタル映像コンテンツ配信システム。
【請求項２】
請求項１に記載のデジタル映像コンテンツ配信システムにおいて、
前記リピータ機器は、前記ソース機器からのデジタル映像コンテンツの送信が中断する直前に前記ソース機器から送信されてきたデジタル映像コンテンツのフレーム画像を記憶し、記憶したフレーム画像を前記所定のデジタル映像コンテンツとして用いること、
を特徴とするデジタル映像コンテンツ配信システム。
【請求項３】
デジタル映像コンテンツを送信するソース機器と、
デジタル映像コンテンツを表示する複数のシンク機器と、
前記ソース機器からデジタル映像コンテンツを受信して前記複数のシンク機器へ送信するリピータ機器と、
を備えるデジタル映像コンテンツ配信システムにおいて、
前記ソース機器は、前記複数のシンク機器及び前記リピータ機器の正当性を認証する認証処理を行い、認証結果が正当であった場合にのみデジタル映像コンテンツを、前記リピータ機器を介して前記複数のシンク機器へ送信し、送信対象の前記シンク機器及び前記リピータ機器の構成に変更があったことを検知すると、デジタル映像コンテンツの送信を中断して変更後の各機器に対して前記認証処理を行い、変更後の各機器の正当性を認証すると、デジタル映像コンテンツの送信を再開させるよう構成されており、
前記シンク機器は、前記ソース機器が変更後の各機器に対して前記認証処理を行っている間、予め記憶しておいた所定のデジタル映像コンテンツを表示すること、
を特徴とするデジタル映像コンテンツ配信システム。
【請求項４】
請求項３に記載のデジタル映像コンテンツ配信システムにおいて、
前記シンク機器は、前記リピータ機器からのデジタル映像コンテンツの送信が中断する直前に前記リピータ機器から送信されてきたデジタル映像コンテンツのフレーム画像を記憶し、記憶したフレーム画像を前記所定のデジタル映像コンテンツとして用いること、
を特徴とするデジタル映像コンテンツ配信システム。
【請求項５】
請求項３又は請求項４に記載のデジタル映像コンテンツ配信システムにおいて、
前記複数のシンク機器のうち、前記ソース機器が前記認証処理を行っている間に、所定のデジタル映像コンテンツを表示する前記シンク機器は、前記認証処理の後も前記ソース機器からのデジタル映像コンテンツを表示するシンク機器のみであること、
を特徴とするデジタル映像コンテンツ配信システム。
【請求項６】
請求項１又は請求項２に記載のデジタル映像コンテンツ配信システムにおける前記リピータ機器について記載した構成を備えることを特徴とするリピータ機器。
【請求項７】
請求項３〜請求項５のいずれかに記載のデジタル映像コンテンツ配信システムにおける前記シンク機器について記載した構成を備えることを特徴とするシンク機器。
【発明の詳細な説明】
【技術分野】
【０００１】
本発明は、デジタル映像コンテンツを配信するデジタル映像コンテンツ配信システム等に関する。
【背景技術】
【０００２】
近年、映像コンテンツがデジタル化され、デジタルデータのまま映像機器間でやりとりされることが一般的になってきた。しかし、デジタル化された映像コンテンツはコピーによる劣化がないため、映像コンテンツの不正利用が横行しやすいと考えられる。そこで、映像コンテンツの不正な利用を防止するために様々な手法が考えられているが、その一つの方法として、映像コンテンツの配信中に経路上から映像コンテンツを不正に取得できないようにする方法が考えられている。例えば、特許文献１に記載の発明は、映像コンテンツの配信経路上から暗号化及び復号化に使用するキーワードが盗まれることを防止する発明である。具体的には、映像データ中の所定データ位置のデータを復号化キーワードとして用いることにより、復号化キーワードの特定を困難にさせたものである（特許文献１の請求項１等参照）。
【特許文献１】特開２００２−１３５２３８号公報
【発明の開示】
【発明が解決しようとする課題】
【０００３】
また、デジタルテレビチューナ（ＤＴＶチューナ）やＢＤ−ＤＶＤ再生機などでは、ＨＤＣＰ（High-bandwidth Digital Content Protection）による著作権保護技術によって、映像コンテンツが保護されている。このＨＤＣＰでは、映像コンテンツが配信される際に配信経路（ルートトポロジ）の認証がなされる。そして、配信経路の変更有無（配信経路上に新たな機器が接続されたかどうか、接続されていた機器が取り外されたかどうか等）を定期的にチェックし、配信経路に変更が加えられたことを検知すると、映像配信を一旦停止して配信経路の再認証を行う。
【０００４】
さらに具体的に説明すると、例えば、ソース機器（映像コンテンツを他の機器に出力する機器）と、シンク機器（映像コンテンツを表示する機器）と、リピータ機器（ソース機器から出力された映像コンテンツを複数のシンク機器に分配するための機器）とで構成された車両用のデジタル映像コンテンツ配信システムにおいて、ＤＴＶチューナ（ソース機器）、前後席のそれぞれ設置された２つのディスプレイモニタ（シンク機器）、ナビゲーション装置（リピータ機器）からシステムが構成されていたとする。この場合においては、映像コンテンツの視聴パターンとして３パターンが考えられる。パターン１としては、前後席とも映像コンテンツを視聴する場合、パターン２としては、前席だけで映像コンテンツを視聴する場合、パターン３としては、後席だけで映像コンテンツを視聴する場合である。各パターンにおける映像コンテンツの配信経路は、次のようになる。
【０００５】
１）ＤＴＶチューナ  →  ナビゲーション装置で分配  →  前席ディスプレイで表示
２）ＤＴＶチューナ  →  ナビゲーション装置で分配  →  後席ディスプレイで表示
３）ＤＴＶチューナ  →  ナビゲーション装置で分配  →  前後席ディスプレイで表示
このようなデジタル映像コンテンツ配信システムにおいては、各パターンの切り替えや認証制御等の統括的な制御は、システム内マスタ機器（例えばナビゲーション装置）により、車両ＬＡＮ経由で行われる。例えばパターン３が選択された場合には、ナビゲーション装置が、ＤＴＶチューナ及び前後席の各ディスプレイ機器に対して車内ＬＡＮ経由で認証指示を通知し、ＤＴＶチューナが、配信経路上の機器が全て正当な機器であるかどうかを判断する。その結果、配信経路上の機器の全てが正当な機器であった場合には、ＤＴＶチューナは映像コンテンツの出力を開始する。
【０００６】
また、その映像コンテンツの配信が継続されている間は、同様の認証動作を定期的に繰り返し、配信中の映像コンテンツが経路上で保護されていることを確認する。このため、ユーザ操作によって別の視聴パターンが選択された場合には、ＤＴＶチューナは映像の出力を一時的に停止し、変更された配信経路が安全であるかどうかを確認するための認証動作を再度実行する。例えばパターン３からパターン２に変更された場合、認証動作の実行のために、後席ディスプレイの表示映像は一時的に中断されることになる（黒画面が表示されることになる）。したがって、後席のユーザは不快感を覚えると考えられる。
【０００７】
本発明は、このような問題にかんがみなされたものであり、映像コンテンツ等のデジタルコンテンツの配信経路に変更があった場合でも、ユーザにできるだけ不快感を与えないデジタル映像コンテンツ配信システムを提供することを目的とする。
【課題を解決するための手段】
【０００８】
上記課題を解決するためになされた請求項１に記載のデジタル映像コンテンツ配信システムは、デジタル映像コンテンツを送信するソース機器と、デジタル映像コンテンツを表示する複数のシンク機器と、ソース機器からデジタル映像コンテンツを受信して複数のシンク機器へ送信するリピータ機器と、を備える。ソース機器は、複数のシンク機器及びリピータ機器の正当性を認証する認証処理を行い、認証結果が正当であった場合にのみデジタル映像コンテンツを、リピータ機器を介して複数のシンク機器へ送信し、送信対象のシンク機器及びリピータ機器の構成に変更があったことを検知すると、デジタル映像コンテンツの送信を中断して変更後の各機器に対して認証処理を行い、変更後の各機器の正当性を認証すると、デジタル映像コンテンツの送信を再開させるよう構成されている。また、リピータ機器は、ソース機器が変更後の各機器に対して認証処理を行っている間、変更後もデジタル映像コンテンツの送信対象であるシンク機器に対し、予め記憶しておいた所定のデジタル映像コンテンツを送信する。なお、ソース機器としては、デジタル映像コンテンツを、現実の時間経過に対応させて連続的又はそれに近い形で送信するタイプのものを想定している。また、ソース機器が検知する構成の変更というのは、ソース機器が直接に検知してもよいし、リピータ機器からの信号（例えば、送信対象のシンク機器を変更した旨の信号）を受けることによって検知してもよい。
【０００９】
このようなデジタル映像コンテンツ配信システムによれば、ソース機器がデジタル映像コンテンツの送信を一時的に中断している間は、リピータ機器が、記憶しておいた所定のデジタル映像コンテンツをシンク機器に送信するため、シンク機器において映像入力がなくなることによって黒画面が表示されるということがなくなる。
【００１０】
なお、リピータ機器が記憶して送信する「所定のデジタル映像コンテンツ」というのは、例えば、認証処理が実行されていることを示すメッセージ映像や、ユーザによって予め登録されたお気に入りの映像等、どのようなものでもよいが、リピータ機器が、ソース機器からのデジタル映像コンテンツの送信が中断する直前にソース機器から送信されてきたデジタル映像コンテンツのフレーム画像を記憶し、その記憶したフレーム画像を所定のデジタル映像コンテンツとして用いるようになっていると特によい（請求項２）。
【００１１】
このようになっていれば、デジタル映像コンテンツを視聴していたユーザの意識が別のもの（例えば、認証処理が実行されていることを示すメッセージ映像等）に向かず、認証処理中も、従前のデジタル映像コンテンツの内容に意識がとどまるため、ユーザは認証処理終了後に再開されるデジタル映像コンテンツの視聴をスムーズに続行することができる。
【００１２】
ところで、上述した課題を解決するためには、請求項３に記載のデジタル映像コンテンツ配信システムであってもよい。つまり、ソース機器が変更後の各機器に対して認証処理を行っている間、リピータ機器の代わりにシンク機器が、予め記憶しておいた所定のデジタル映像コンテンツを表示するようになっていてもよい。なお、請求項１に記載のデジタル映像コンテンツ配信システムと同様、ソース機器は、機器の構成の変更について、ソース機器が直接に検知してもよいし、リピータ機器からの信号（例えば、送信対象のシンク機器を変更した旨の信号）を受けることによって検知してもよい。
【００１３】
請求項３に記載のデジタル映像コンテンツ配信システムによれば、ソース機器がデジタル映像コンテンツの送信を一時的に中断している間、シンク機器が、記憶しておいた所定のデジタル映像コンテンツを表示するため、シンク機器において映像入力がなくなることによって黒画面が表示されるということがなくなる。
【００１４】
なお、シンク機器が記憶して表示する「所定のデジタル映像コンテンツ」というのは、例えば、認証処理が実行されていることを示すメッセージ映像や、ユーザによって予め登録されたお気に入りの映像等、どのようなものでもよいが、リピータ機器からのデジタル映像コンテンツの送信が中断する直前にリピータ機器から送信されてきたデジタル映像コンテンツのフレーム画像をシンク機器が記憶し、その記憶したフレーム画像を所定のデジタル映像コンテンツとして表示するようになっていると特によい（請求項４）。
【００１５】
このようになっていれば、デジタル映像コンテンツを視聴していたユーザの意識が別のもの（例えば、認証処理が実行されていることを示すメッセージ映像等）に向かず、認証処理中も、従前のデジタル映像コンテンツの内容に意識がとどまるため、ユーザは認証処理終了後に再開されるデジタル映像コンテンツの視聴をスムーズに続行することができる。
【００１６】
また、デジタル映像コンテンツ配信システムを構成する複数のシンク機器のうち、ソース機器が認証処理を行っている間に、所定のデジタル映像コンテンツを表示するシンク機器というのは、認証処理の後もソース機器からのデジタル映像コンテンツを表示するシンク機器のみであるとよい（請求項５）。
【００１７】
なぜなら、例えば、ソース機器からのデジタル映像コンテンツを表示する代わりに、ナビゲーション装置からの地図画像を表示するように切り替わるシンク機器は、ソース機器が認証処理を行っている間でも、地図画像を表示すればよく、所定のデジタル映像コンテンツを表示する意味に乏しいからである。
【００１８】
したがって、請求項５に記載のデジタル映像コンテンツ配信システムによれば、黒画面が表示されることを防止しながら、デジタル映像コンテンツ配信の送信対象でないシンク機器は、素早く別の映像を表示することができる。
【００１９】
ところで、上述した請求項１又は請求項２のデジタル映像コンテンツ配信システムのリピータ機器を、単体で構成して市場に流通させてもよい（請求項６）。また、請求項３〜請求項５のいずれかに記載のデジタル映像コンテンツ配信システムのシンク機器を、単体で構成して市場に流通させてもよい（請求項７）。リピータ機器及びシンク機器を単体で構成しても、対応したソース機器等と組み合わせることによって上述した効果を奏する。
【発明を実施するための最良の形態】
【００２０】
以下、本発明が適用された実施形態について図面を用いて説明する。尚、本発明の実施の形態は、下記の実施形態に何ら限定されることはなく、本発明の技術的範囲に属する限り種々の形態を採りうる。
【００２１】
［第一実施形態］
第一実施形態のデジタル映像コンテンツ配信システム５について説明する。
［構成の説明］
図１は、車両に搭載されたデジタル映像コンテンツ配信システム５の概略構成を示す説明図である。デジタル映像コンテンツ配信システム５は、ＤＴＶチューナ１０と、ナビゲーション装置２０と、前席ディスプレイ３０と、後席ディスプレイ４０と、車内ＬＡＮ５０とを備える。
【００２２】
ＤＴＶチューナ１０は、デジタルテレビ放送の信号を受信して処理し、デジタル映像コンテンツを逐次抽出してナビゲーション装置２０へ送信する機能を有する。なお、ナビゲーション装置２０へは、デジタル映像ケーブル（例えば、デジタルＲＧＢケーブル等）を介してデジタル映像コンテンツを送信する。
【００２３】
ナビゲーション装置２０は、周知のナビゲーション装置の機能（現在位置付近の地図をディスプレイに表示させ、経路案内を実行する機能等）に加え、ＤＴＶチューナ１０から送信（出力）されたデジタル映像コンテンツ（以下、単に「映像」とも称す）を、ユーザの選択によって前席ディスプレイ３０又は後席ディスプレイ４０の少なくともいずれか一方に送信（出力）する機能を有する。なお、当該機能自体をオフにすることはもちろんできる。
【００２４】
前席ディスプレイ３０及び後席ディスプレイ４０は、液晶パネルや有機ＥＬパネル等を備え、ナビゲーション装置２０から送信された映像を表示する機能を有する。なお、前席ディスプレイ３０は、車両の前席中央部（運転席と助手席の間のインスツルメントパネル）に設置され、後席ディスプレイ４０は後席の天井の中央部に設置されている。
【００２５】
次に、ＤＴＶチューナ１０、ナビゲーション装置２０及び前席ディスプレイ３０の構成の詳細について、図２のブロック図を用いて説明する。なお、後席ディスプレイ４０は、前席ディスプレイ３０と同様の構成を有するため、説明を省略する。
【００２６】
ＤＴＶチューナ１０は、図２（ａ）に示すように、受信部１１と、映像出力部１２と、車内ＬＡＮ通信部１３と、制御部１４とを備える。
受信部１１は、図示しないアンテナを介してデジタルテレビの放送信号を受信し、受信した放送信号からデジタル映像コンテンツを抽出する機能を有する。
【００２７】
映像出力部１２は、受信部１１により抽出されたデジタル映像コンテンツをナビゲーション装置２０へ逐次送信（出力）する機能を有する。
車内ＬＡＮ通信部１３は、車内ＬＡＮ５０を介して他の装置等と通信を行う機能を有する。
【００２８】
制御部１４は、ＣＰＵ，ＲＯＭ，ＲＡＭ，フラッシュメモリ，Ｉ／Ｏ及びこれらの構成を接続するバスラインなどからなる周知のマイクロコンピュータを中心に構成されており、受信部１１、映像出力部１２、及び、車内ＬＡＮ通信部１３を制御して、受信する放送局の選局や、デジタル映像コンテンツの出力有無や、出力対象の装置の認証等を行う。
【００２９】
ナビゲーション装置２０は、図２（ｂ）に示すように、位置情報取得部２１と、操作スイッチ群２２と、記憶部２３と、映像入力部２４と、地図データ取得部２５と、車内ＬＡＮ通信部２６と、第一映像出力部２７と、第二映像出力部２８と、制御部２９とを備える。
【００３０】
位置情報取得部２１は、ＧＰＳ（Global Positioning System）用の人工衛星からの電波を図示しないＧＰＳアンテナを介して受信してその受信信号を出力するＧＰＳ受信機（図示せず）と、車両に加えられる回転運動の大きさを検出するジャイロスコープ（図示せず）と、車両の前後方向の加速度等から走行した距離を検出するための（図示せず）とを備えている。そして、これら各センサ等からの出力信号に基づいて制御部２９が、車両の位置，方位，速度等を算出する。
【００３１】
操作スイッチ群２２は、メカニカルなキースイッチ、リモートコントローラ等から構成される。尚、前席ディスプレイ３０の表示面に設けられたタッチパネルとして構成してもよい。
【００３２】
記憶部２３は、ＤＲＡＭ等から構成され、デジタル映像コンテンツの１フレームを少なくとも記憶することができる。
映像入力部２４は、ＤＴＶチューナ１０から送られてきたデジタル映像コンテンツを入力する機能を有する。
【００３３】
地図データ取得部２５は、図示しない地図データ記憶媒体（例えばハードディスクやＤＶＤ−ＲＯＭ等）に記憶された各種データを入力するための装置である。地図データ記憶媒体には、地図データ（ノードデータ、リンクデータ、コストデータ、背景データ、道路データ、名称データ、マークデータ、交差点データ、施設のデータ等）、案内用の音声データ、音声認識データ等が記憶されている。なお、地図データ記憶媒体からこれらのデータを入力する代わりに、通信ネットワークを介してこれらのデータを入力するようになっていてもよい。
【００３４】
車内ＬＡＮ通信部２６は、車内ＬＡＮ５０を介して他の装置等と通信を行う機能を有する。
第一映像出力部２７は、前席ディスプレイ３０へデジタル映像コンテンツを送信（出力）する機能を有する。
【００３５】
第二映像出力部２８は、後席ディスプレイ４０へデジタル映像コンテンツを送信（出力）する機能を有する。
制御部２９は、ＣＰＵ，ＲＯＭ，ＲＡＭ，フラッシュメモリ，Ｉ／Ｏ及びこれらの構成を接続するバスラインなどからなる周知のマイクロコンピュータを中心に構成されており、ＲＯＭ及びフラッシュメモリ等に記憶されたプログラムに基づいて各種処理を実行する。例えば、位置情報取得部２１からの各検出信号に基づき座標及び進行方向の組として車両の現在位置を算出し、地図データ取得部２５を介して取得した現在位置付近の地図等をディスプレイに表示する現在地表示処理や、地図データ取得部２５を介して取得した地図データと、操作スイッチ群２２がユーザによって操作されることによって設定された目的地とに基づいて現在位置から目的地までの最適な経路を算出する経路算出処理や、その算出した経路を第一映像出力部２７や第二映像出力部２８を介して前席ディスプレイ３０や後席ディスプレイ４０に出力させたりすることにより経路を案内する経路案内処理等を実行する。
【００３６】
前席ディスプレイ３０は、図２（ｃ）に示すように、表示部３１と、映像入力部３２と、車内ＬＡＮ通信部３３と、制御部３４とを備える。
表示部３１は、液晶パネル又は有機ＥＬパネルから構成され、映像を表示することができる。
【００３７】
映像入力部３２は、ナビゲーション装置２０から送信されるデジタル映像コンテンツを入力する機能を有する。
車内ＬＡＮ通信部３３は、車内ＬＡＮ５０を介して他の装置等と通信を行う機能を有する。
【００３８】
制御部３４は、ＣＰＵ，ＲＯＭ，ＲＡＭ，フラッシュメモリ，Ｉ／Ｏ及びこれらの構成を接続するバスラインなどからなる周知のマイクロコンピュータを中心に構成されており、各部の制御及び外部装置から要求された認証処理等を実行する。
【００３９】
［動作の説明］
次に、デジタル映像コンテンツ配信システム５の動作について説明する。なお、デジタル映像コンテンツ配信システム５は、ナビゲーション装置２０がシステムマスタ（デジタル映像コンテンツ配信システム５を統括的に制御する装置）として機能する。以下の説明においては、ナビゲーション装置２０を中心に、本願発明に関係する部分を説明する。
【００４０】
ナビゲーション装置２０の制御部２９が主導的に実行するトポロジ変更処理１について、図３のフローチャートを用いて説明する。なお、トポロジ変更処理１は、ナビゲーション装置２０の操作スイッチ群２２が操作されたり、車両の走行状態が変化したりすること（例えば、停止状態から走行状態に変化すること）によって、映像（ＤＴＶチューナ１０から出力された映像）の配信経路が変更された際に実行が開始される。配信経路の変更というのは、例えば、前席ディスプレイ３０と後席ディスプレイ４０の両方に映像を表示させていた状態から、後席ディスプレイ４０のみに映像を表示させる状態に変更させる場合等を意味する。
【００４１】
制御部２９は、トポロジ変更処理１の実行を開始すると、まず映像のキャプチャを実行する（Ｓ１０５）。これは、現在、ＤＴＶチューナ１０から送信されてくる映像の１フレーム分の映像データを記憶部２３に記憶させることである。
【００４２】
次に、配信経路を変更した後もＤＴＶチューナ１０からの映像を引き続き表示させるディスプレイに対し、Ｓ１０５でキャプチャした映像の送信を開始する（Ｓ１１０）。つまり、配信経路を変更した後もＤＴＶチューナ１０からの映像を引き続き表示させるディスプレイには、静止画映像が表示される。
【００４３】
次に、ＤＴＶチューナ１０にデジタル映像コンテンツの送信停止を指示する（Ｓ１１５）。この指示は、車内ＬＡＮ５０を介して行う。
次に、映像の配信経路の変更を実施する（Ｓ１２０）。例えば、前席ディスプレイ３０と後席ディスプレイ４０の両方に映像を表示させていた状態から、前席ディスプレイ３０又は後席ディスプレイ４０のいずれか一方にのみ映像を表示させる状態に変更させたり、前席ディスプレイ３０又は後席ディスプレイ４０にいずれか一方にのみ映像を表示させていた状態から、前席ディスプレイ３０と後席ディスプレイ４０の両方に映像を表示させる状態に変更させたり、前席ディスプレイ３０にのみ映像を表示させていた状態から後席ディスプレイ４０にのみ映像を表示させる状態に変更させたり、後席ディスプレイ４０にのみ映像を表示させていた状態から前席ディスプレイ３０にのみ映像を表示させる状態に変更させることである。
【００４４】
次に、ＤＴＶチューナ１０に認証を指示する（Ｓ１２５）。この指示も、車内ＬＡＮ５０を介して行う。この指示を受け取ったＤＴＶチューナ１０は、変更した配信経路上の装置に対して認証処理を実行する。認証対象は、ナビゲーション装置２０及び配信経路変更後もデジタル映像コンテンツを表示させるディスプレイである。認証方法は、コンテンツの保護が保証された装置であるか否かを判定するための周知の認証方法である。
【００４５】
次に、認証が完了したか否かを判定する（Ｓ１３０）。これは、車内ＬＡＮ５０を介してＤＴＶチューナ１０から認証完了情報を受信したか否かによって行う。認証が完了したと判定した場合は（Ｓ１３０：Ｙｅｓ）、Ｓ１３５へ処理を移行し、認証が完了していないと判定した場合は（Ｓ１３０：Ｎｏ）、認証が完了するまで本ステップにとどまる。
【００４６】
認証が完了したと判定した場合に進むＳ１３５では、ＤＴＶチューナ１０に映像送信の再開を指示する。この指示も、車内ＬＡＮ５０を介して行う。
ＤＴＶチューナ１０からデジタル映像コンテンツの送信が再開されると、ナビゲーション装置２０は、Ｓ１１０で開始したキャプチャ映像の送信を停止し、送信対象のディスプレイに対してＤＴＶチューナ１０からの映像の送信を再開する（Ｓ１４０）。そして、本処理（トポロジ変更処理１）を終了する。
【００４７】
［効果］
デジタル映像コンテンツ配信システム５によれば、ＤＴＶチューナ１０が認証処理のためにデジタル映像コンテンツの送信を一時的に中断している間は、ナビゲーション装置２０が、記憶しておいたキャプチャ画像を、その後もＤＴＶチューナ１０からの映像を表示するディスプレイに送信するため、ディスプレイにおいて映像入力がなくなることによって黒画面が表示されるということがない。
【００４８】
また、ＤＴＶチューナ１０が認証処理を行っている間にディスプレイに表示される映像は、直前にディスプレイに表示されていた映像であるため、引き続いてＤＴＶチューナ１０からの映像を視聴するユーザは、そのデジタル映像コンテンツに意識がとどまる。したがって、ユーザは認証処理終了後に再開されるデジタル映像コンテンツの使用をスムーズに続行することができる。
【００４９】
［第二実施形態］
第二実施形態のデジタル映像コンテンツ配信システム７について説明する。なお、デジタル映像コンテンツ配信システム７のうち、第一実施形態のデジタル映像コンテンツ配信システム５と同一の部分については、第一実施形態のデジタル映像コンテンツ配信システム５と同一の符号を付すことにより、説明を省略する。
【００５０】
［構成の説明］
図４は、車両に搭載されたデジタル映像コンテンツ配信システム７の概略構成を示す説明図である。デジタル映像コンテンツ配信システム７は、ＤＴＶチューナ１０と、ナビゲーション装置６０と、前席ディスプレイ７０と、後席ディスプレイ８０と、車内ＬＡＮ５０とを備える。
【００５１】
ナビゲーション装置６０は、周知のナビゲーション装置の機能（現在位置付近の地図をディスプレイに表示させ、経路案内を実行する機能等）に加え、ＤＴＶチューナ１０から送信（出力）されたデジタル映像コンテンツ（以下、単に「映像」とも称す）を、ユーザの選択によって前席ディスプレイ７０又は後席ディスプレイ８０の少なくともいずれか一方に送信（出力）する機能を有する。
【００５２】
前席ディスプレイ７０及び後席ディスプレイ８０は、液晶パネルや有機ＥＬパネル等を備え、ナビゲーション装置６０から送信された映像を表示する機能を有する。なお、前席ディスプレイ７０は、車両の前席中央部（運転席と助手席の間のインスツルメントパネル）に設置され、後席ディスプレイ８０は後席の天井の中央部に設置されている。
【００５３】
次に、ナビゲーション装置６０及び前席ディスプレイ７０の構成の詳細について、図５のブロック図を用いて説明する。なお、後席ディスプレイ８０は、前席ディスプレイ７０と同様の構成を有するため、説明を省略する。
【００５４】
ナビゲーション装置６０は、図５（ａ）に示すように、位置情報取得部２１と、操作スイッチ群２２と、映像入力部２４と、地図データ取得部２５と、車内ＬＡＮ通信部２６と、第一映像出力部２７と、第二映像出力部２８と、制御部６９とを備える。
【００５５】
制御部６９は、ＣＰＵ，ＲＯＭ，ＲＡＭ，フラッシュメモリ，Ｉ／Ｏ及びこれらの構成を接続するバスラインなどからなる周知のマイクロコンピュータを中心に構成されており、ＲＯＭ及びフラッシュメモリ等に記憶されたプログラムに基づいて各種処理を実行する。例えば、位置情報取得部２１からの各検出信号に基づき座標及び進行方向の組として車両の現在位置を算出し、地図データ取得部２５を介して取得した現在位置付近の地図等をディスプレイに表示する現在地表示処理や、地図データ取得部２５を介して取得した地図データと、操作スイッチ群２２がユーザによって操作されることによって設定された目的地とに基づいて現在位置から目的地までの最適な経路を算出する経路算出処理や、その算出した経路を第一映像出力部２７や第二映像出力部２８を介して前席ディスプレイ７０や後席ディスプレイ８０に出力させたりすることにより経路を案内する経路案内処理等を実行する。
【００５６】
前席ディスプレイ７０は、図５（ｂ）に示すように、表示部３１と、映像入力部３２と、車内ＬＡＮ通信部３３と、記憶部７４と、制御部７５とを備える。
記憶部７４は、ＤＲＡＭ等から構成され、デジタル映像コンテンツの１フレームを少なくとも記憶することができる。
【００５７】
制御部７５は、ＣＰＵ，ＲＯＭ，ＲＡＭ，フラッシュメモリ，Ｉ／Ｏ及びこれらの構成を接続するバスラインなどからなる周知のマイクロコンピュータを中心に構成されており、各部の制御及び外部装置から要求された認証処理等を実行する。
【００５８】
［動作の説明］
次に、デジタル映像コンテンツ配信システム７の動作について説明する。なお、デジタル映像コンテンツ配信システム７は、ナビゲーション装置６０がシステムマスタ（デジタル映像コンテンツ配信システム７を統括的に制御する装置）として機能する。以下の説明においては、ナビゲーション装置６０を中心に、本願発明に関係する部分を説明する。
【００５９】
ナビゲーション装置６０の制御部６９が主導的に実行するトポロジ変更処理２について、図６のフローチャートを用いて説明する。なお、トポロジ変更処理２は、ナビゲーション装置６０の操作スイッチ群２２が操作されたり、車両の走行状態が変化したりすること（例えば、停止状態から走行状態に変化すること）によって、映像（ＤＴＶチューナ１０から出力された映像）の配信経路が変更された際に実行が開始される。配信経路の変更というのは、例えば、前席ディスプレイ７０と後席ディスプレイ８０の両方に映像を表示させていた状態から、後席ディスプレイ８０のみに映像を表示させる状態に変更させる場合等を意味する。
【００６０】
制御部６９は、トポロジ変更処理２の実行を開始すると、配信経路を変更した後もＤＴＶチューナ１０からの映像を引き続き表示させるディスプレイに対し、映像をキャプチャして、そのキャプチャした映像を表示し続けるよう指示する（Ｓ２０５）。その結果、配信経路を変更した後もＤＴＶチューナ１０からの映像を引き続き表示させるディスプレイには、静止画映像が表示される。なお、そのようなディスプレイが例えば、前席ディスプレイ７０である場合は、映像の１フレーム分の映像データが記憶部７４に記憶される。
【００６１】
次に、ＤＴＶチューナ１０にデジタル映像コンテンツの送信停止を指示する（Ｓ２１０）。この指示は、車内ＬＡＮ５０を介して行う。
次に、映像の配信経路の変更を実施する（Ｓ２１５）。例えば、前席ディスプレイ７０と後席ディスプレイ８０の両方に映像を表示させていた状態から、前席ディスプレイ７０又は後席ディスプレイ８０のいずれか一方にのみ映像を表示させる状態に変更させたり、前席ディスプレイ７０又は後席ディスプレイ８０のいずれか一方にのみ映像を表示させていた状態から、前席ディスプレイ７０と後席ディスプレイ８０の両方に映像を表示させる状態に変更させたり、前席ディスプレイ７０にのみ映像を表示させていた状態から後席ディスプレイ８０にのみ映像を表示させる状態に変更させたり、後席ディスプレイ８０にのみ映像を表示させていた状態から前席ディスプレイ７０にのみ映像を表示させる状態に変更させることである。
【００６２】
次に、ＤＴＶチューナ１０に認証を指示する（Ｓ２２０）。この指示も、車内ＬＡＮ５０を介して行う。この指示を受け取ったＤＴＶチューナ１０は、変更した配信経路上の装置に対して認証処理を実行する。認証対象は、ナビゲーション装置６０及びデジタル映像コンテンツを表示させるディスプレイである。認証方法は、コンテンツの保護が保証された装置であるか否かを判定するための周知の認証方法である。
【００６３】
次に、認証が完了したか否かを判定する（Ｓ２２５）。これは、車内ＬＡＮ５０を介してＤＴＶチューナ１０から認証完了情報を受信したか否かによって行う。認証が完了したと判定した場合は（Ｓ２２５：Ｙｅｓ）、Ｓ２３０へ処理を移行し、認証が完了していないと判定した場合は（Ｓ２２５：Ｎｏ）、認証が完了するまで本ステップにとどまる。
【００６４】
認証が完了したと判定した場合に進むＳ２３０では、ＤＴＶチューナ１０に映像送信の再開を指示する。この指示も、車内ＬＡＮ５０を介して行う。
ＤＴＶチューナ１０から映像の送信が再開されると、ナビゲーション装置６０は、キャプチャした映像を表示しているディスプレイに対してＤＴＶチューナ１０から受け取った映像の送信を再開する（Ｓ２３５）。そして、本処理（トポロジ変更処理２）を終了する。
【００６５】
［効果］
デジタル映像コンテンツ配信システム７によれば、ＤＴＶチューナ１０が認証処理のためにデジタル映像コンテンツの送信を一時的に中断している間は、その後もＤＴＶチューナ１０からの映像を表示するディスプレイには、キャプチャ画像が表示されるため、映像入力がなくなることによってディスプレイに黒画面が表示されるということがない。
【００６６】
また、ＤＴＶチューナ１０が認証処理を行っている間にディスプレイに表示されるキャプチャ画像は、直前にディスプレイに表示されていた映像であるため、引き続いてＤＴＶチューナ１０からの映像を視聴するユーザは、そのデジタル映像コンテンツに意識がとどまる。したがって、ユーザは認証処理終了後に再開されるデジタル映像コンテンツをスムーズに視聴することができる。
【００６７】
［他の実施形態］
上記実施形態では、ナビゲーション装置２０，６０がＤＴＶチューナ１０に対して映像の送信停止を指示する際（Ｓ１１５，Ｓ２１０）や、映像の送信再開を指示する際（Ｓ１３５，Ｓ２３０）等には、これらの指示を、車内ＬＡＮ５０を介してＤＴＶチューナ１０へ送信していたが、デジタル映像ケーブルを介して双方向通信を行うことにより指示を送信するようにしてもよい。このようにすれば、車内ＬＡＮ５０を介して通信を行う必要性がなくなり、ＤＴＶチューナ１０の車内ＬＡＮ通信部１３や、ナビゲーション装置２０の車内ＬＡＮ通信部２６等をなくすことができる。
【００６８】
［特許請求の範囲との対応］
上記実施形態で用いた用語と、特許請求の範囲に記載した用語との対応を示す。
第一実施形態においては、ＤＴＶチューナ１０がソース機器に相当し、ナビゲーション装置２０がリピータ機器に相当し、前席ディスプレイ３０，後席ディスプレイ４０がシンク機器に相当する。
【００６９】
第二実施形態においては、ＤＴＶチューナ１０がソース機器に相当し、ナビゲーション装置６０がリピータ機器に相当し、前席ディスプレイ７０，後席ディスプレイ８０がシンク機器に相当する。
【図面の簡単な説明】
【００７０】
【図１】第一実施形態のデジタル映像コンテンツ配信システムの概略構成を示すブロック図である。
【図２】第一実施形態のＤＴＶチューナ、ナビゲーション装置及びディスプレイの内部構成を示すブロック図である。
【図３】第一実施形態のトポロジ変更処理１を説明するためのフローチャートである。
【図４】第二実施形態のデジタル映像コンテンツ配信システムの概略構成を示すブロック図である。
【図５】第二実施形態のナビゲーション装置及びディスプレイの内部構成を示すブロック図である。
【図６】第二実施形態のトポロジ変更処理２を説明するためのフローチャートである。
【符号の説明】
【００７１】
５，７…デジタル映像コンテンツ配信システム、１０…ＤＴＶチューナ、１１…受信部、１２…映像出力部、１３…車内ＬＡＮ通信部、１４…制御部、２０，６０…ナビゲーション装置、２１…位置情報取得部、２２…操作スイッチ群、２３…記憶部、２４…映像入力部、２５…地図データ取得部、２６…車内ＬＡＮ通信部、２７…第一映像出力部、２８…第二映像出力部、２９，６９…制御部、３０，７０…前席ディスプレイ、３１…表示部、３２…映像入力部、３３…車内ＬＡＮ通信部、３４，７５…制御部、７４…記憶部、４０，８０…後席ディスプレイ、５０…車内ＬＡＮ。
【図１】
2008211338.tif 000003
【図２】
2008211338.tif 000004
【図３】
2008211338.tif 000005
【図４】
2008211338.tif 000006
【図５】
2008211338.tif 000007
【図６】
2008211338.tif 000008